(57)【要約】      （修正有）【課題】不使用時の保管が容易で、使用の際には所定の物品を保持できる椅子用ホルダーを提供する。【解決手段】前後に配置された複数のパイプ椅子１０の背もたれ１５の後面に取り付けられてペットボトル２９等や紙メディアを保持するために用いられるホルダー２０を、椅子取付部材と、容器保持部材またはシート保持部材とで構成した。椅子取付部材には、背もたれ１５に取り付けるためのフック部２２と孔等とが備わっている。容器保持部材やシート保持部材には、孔等に係合する突片等が備わっている。【選択図】図１
0003185541.tif 000002
【実用新案登録請求の範囲】
【請求項１】
前後に配置された複数の椅子の背もたれの後面に取り付けられて所定の物品を保持するために用いられる椅子用ホルダーであって、
前記背もたれに取り付けるための取付部と、前記取付部の下方に形成された被係合部とを備えた椅子取付部材と、
前記被係合部に着脱可能に係合できる係合部を備え、前記係合部を前記被係合部に係合させることにより、前記椅子取付部材に取り付けられて前記所定の物品を保持する保持部材とを備えたことを特徴とする椅子用ホルダー。
【請求項２】
前記所定の物品が、複数の異なる携帯用物品であり、前記保持部材が前記椅子取付部材に取替え可能に取り付けられて前記複数の異なる携帯用物品のいずれかを保持する保持部材である請求項１に記載の椅子用ホルダー。
【請求項３】
前記所定の物品が飲料水を収容する容器およびシート状物品であり、前記保持部材が前記椅子取付部材に取替え可能に取り付けられて前記容器または前記シート状物品を保持する容器保持部材およびシート保持部材である請求項１に記載の椅子用ホルダー。
【請求項４】
前記容器保持部材が、前記容器を挿通させる穴部を備えた上部支持部と、前記上部支持部の下方に配置されて前記容器の底部を支持する下部支持部とを備えている請求項３に記載の椅子用ホルダー。
【請求項５】
前記シート保持部材が、前記シート状物品を支持する板状の支持面部と、前記支持面部の下端から後方に延びる下面部と、前記下面部の後端から前記支持面部に対向して上方に延び前記支持面部とで前記シート状物品を挟むことのできるシート押さえ部とを備えている請求項３または４に記載の椅子用ホルダー。
【請求項６】
前記椅子取付部材が、前記背もたれの上端部に上方から係合可能なフック部と、前記フック部の後部から下方に延び前記被係合部が形成された連結部とで構成されている請求項１ないし５のうちのいずれか一つに記載の椅子用ホルダー。
【請求項７】
前記椅子取付部材の後面に平面部を形成し、前記平面部に広告を表示した請求項１ないし６のうちのいずれか一つに記載の椅子用ホルダー。
【請求項８】
前記被係合部を孔で構成し、前記係合部を突片で構成した請求項１ないし７のうちのいずれか一つに記載の椅子用ホルダー。
【考案の詳細な説明】
【技術分野】
【０００１】
本考案は、前後に配置された複数の椅子の背もたれの後面に取り付けられて所定の物品を保持するために用いられる椅子用ホルダーに関する。
【背景技術】
【０００２】
従来から、例えば、コンサート会場や講習会の会場等の中には、折り畳み式のパイプ椅子を左右前後に配置して客席を設け、コンサートや講習の終了後にはパイプ椅子を折り畳んで片付けるようにしているところもある。このような会場においては、配置された各椅子の周囲には、着座者が携帯する物を置くための場所がないため、各椅子に座った着座者は、飲料水を飲みたい場合には、飲料水が入ったペットボトルやコップ等の容器を手で持つか床に置く等しなければならない。また、講習会においては、資料や筆記用のノート等の複数のシート状物品を同時に手で持たなければならない場合もある。
【０００３】
このため、椅子の背もたれに着脱可能に取り付けてコップを保持することのできるコップホルダーが開発されている（特許文献１参照）。このコップホルダーは、フックと、上縁と、底板と、上縁と底板とを連結する両サイドフルールとからなっており、フックを椅子の背もたれの上端部に引っ掛けて、上縁内にドリンクが入ったコップを通し、そのコップの底部を底板に支持させるようにしている。
【先行技術文献】
【特許文献】
【０００４】
【特許文献１】実用新案登録第３０２１１０９号公報
【考案の概要】
【０００５】
しかしながら、前述したコップホルダーを多数個用いる場合には、嵩張るため不使用時に箱等に収容し難くいとともに、保管のための広いスペースが必要になるという問題がある。また、前述したコップホルダーは、コップしか保持することができず他の用途で用いることができない。
【０００６】
本考案は、前述した問題に対処するためになされたもので、その目的は、不使用時の保管が容易で、使用の際には所定の物品を保持できる椅子用ホルダーを提供することである。なお、下記本考案の各構成要件の記載においては、本考案の理解を容易にするために、実施形態の対応箇所の符号を括弧内に記載しているが、本考案の構成要件は、実施形態の符号によって示された対応箇所の構成に限定解釈されるべきものではない。
【０００７】
前述した目的を達成するため、本考案に係る椅子用ホルダーの構成上の特徴は、前後に配置された複数の椅子（１０）の背もたれ（１５）の後面に取り付けられて所定の物品（２９，２９ａ，２９ｂ，２９ｃ，３９，３９ａ）を保持するために用いられる椅子用ホルダー（２０，２０ａ，４０，４０ａ）であって、背もたれに取り付けるための取付部（２２）と、取付部の下方に形成された被係合部（２３ａ，２３ｂ，４３ａ，４３ｂ，４３ｃ）とを備えた椅子取付部材（２１，４１）と、被係合部に着脱可能に係合できる係合部（２８ａ，２８ｂ，３８ａ，３８ｂ，４８ａ，４８ｂ，４８ｃ，５８ａ，５８ｂ，５８ｃ）を備え、係合部を被係合部に係合させることにより、椅子取付部材に取り付けられて所定の物品を保持する保持部材（２５，３５，４５，５５）とを備えたことにある。
【０００８】
本考案に係る椅子用ホルダーは、取付部と被係合部とを備えた椅子取付部材と、保持部材とを備えており、取付部は、椅子取付部材を椅子の背もたれに取り付けるためのものである。また、椅子取付部材の被係合部には、保持部材の被係合部が着脱可能に係合できる。このため、保持部材を、例えば、飲料水を収容するペットボトルやコップ等の容器を保持するための容器保持部材や、紙からなる資料等のシート状物品を保持するためのシート保持部材で構成し、これらを、椅子取付部材に組み付けることにより、容器やシート状物品を椅子用ホルダーを介して椅子の背もたれに保持させることができる。
【０００９】
このように、本考案によると、前後に配置された椅子のうちの前の椅子の背もたれの後面を利用して所定の物品を保持することができる。このため、コンサート会場において、拍手をする際に、容器が邪魔になったり、講習会において、ノートに筆記する際に資料が邪魔になったりすることを防止できる。また、コンサートや講習会等の終了後には、回収した椅子用ホルダーを、椅子取付部材と保持部材とに分離して収納箱等に収容できるため、嵩張ることを防止して効率よく保管することができる。なお、椅子取付部材は、椅子の背もたれに対して容易に着脱できるようにすることが好ましいが、ねじ等の固着部材で背もたれに固定してもよい。
【００１０】
本考案に係る椅子用ホルダーの他の構成上の特徴は、所定の物品が、複数の異なる携帯用物品であり、保持部材が椅子取付部材に取替え可能に取り付けられて複数の異なる携帯用物品のいずれかを保持する保持部材であることにある。この場合の携帯用物品とは、通常、手で持ち運びされる物や手で持ち運びできる物で、前述した容器やシート状物品の外、傘、ステッキ、バッグ等が含まれる。そして、各携帯用物品に対応する保持部材は、各携帯用物品を把持したり吊るしたりできるように構成する。
【００１１】
本考案に係る椅子用ホルダーのさらに他の構成上の特徴は、所定の物品が飲料水を収容する容器（２９，２９ａ，２９ｂ，２９ｃ）およびシート状物品（３９，３９ａ）であり、保持部材が椅子取付部材に取替え可能に取り付けられて容器またはシート状物品を保持する容器保持部材（２５，４５）およびシート保持部材（３５，５５）であることにある。本考案によると、ペットボトルやコップ等の容器を保持するための容器保持部材と、紙やプラスチックシート等からなる資料、ノート、本等のシート状物品を保持するシート保持部材とを、適宜、取り替えて椅子取付部材に組み付けることにより、任意の容器やシート状物品を椅子の背もたれに保持させることができる。
【００１２】
本考案に係る椅子用ホルダーのさらに他の構成上の特徴は、容器保持部材が、容器を挿通させる穴部（２７ａ）を備えた上部支持部（２７）と、上部支持部の下方に配置されて容器の底部を支持する下部支持部（２８）とを備えていることにある。本考案によると、ペットボトルやコップ等の飲料水を収容する容器を確実に保持することができる。なお、本考案における上部支持部の形状は平面視で環状であってもよいし、Ｃ字状であってもよい。要は、下部支持部で容器の底部を支持し、上部支持部で容器の胴部周囲を支えて容器を起立状態に保持できればよい。
【００１３】
本考案に係る椅子用ホルダーのさらに他の構成上の特徴は、シート保持部材が、シート状物品を支持する板状の支持面部（３６ａ，５６ａ）と、支持面部の下端から後方に延びる下面部（３６ｂ）と、下面部の後端から支持面部に対向して上方に延び支持面部とでシート状物品を挟むことのできるシート押さえ部（３７）とを備えていることにある。本考案によると、パンフレット、資料、ノート等のシート状物品を確実に保持することができる。なお、本考案において前後方向は、椅子に座った人を基準にしており、視線の先を前方、その反対を後方とする。
【００１４】
本考案に係る椅子用ホルダーのさらに他の構成上の特徴は、椅子取付部材が、背もたれの上端部に上方から係合可能なフック部（２２）と、フック部の後部から下方に延び被係合部が形成された連結部（２３，４３）とで構成されていることにある。本考案では、椅子取付部材に、背もたれの上端部に上方から係合可能なフック部が備わっているため、椅子用ホルダーを椅子に対して容易に着脱できるようになる。本考案によると、折り畳み式のパイプ椅子等の簡易の椅子に用いる際に好適な椅子用ホルダーが得られる。
【００１５】
本考案に係る椅子用ホルダーのさらに他の構成上の特徴は、椅子取付部材の後面に平面部（２３ｃ）を形成し、平面部に広告（２４）を表示したことにある。本考案によると、所定の物品を保持するホルダーに広告機能を持たせることができる。この場合の広告は、宣伝、案内、注意事項など種々の告知事項の表示であり、椅子取付部材の平面部に印刷されたものであってもよいし、シール等に印刷されたものを椅子取付部材の平面部に貼り付けたものであってもよい。また、場合によっては、保持部材を椅子取付部材に組み付けず、椅子取付部材だけを椅子に取り付けて広告用に用いてもよい。
【００１６】
本考案に係る椅子用ホルダーのさらに他の構成上の特徴は、被係合部を孔（２３ａ，２３ｂ，４３ａ，４３ｂ，４３ｃ）で構成し、係合部を突片（２８ａ，２８ｂ，３８ａ，３８ｂ，４８ａ，４８ｂ，４８ｃ，５８ａ，５８ｂ，５８ｃ）で構成したことにある。本考案によると、孔からなる被係合部に、突片からなる係合部を挿し込んで係合させるだけで保持部材の椅子取付部材への取り付けができ、孔と突片との係合を解除させるように、椅子取付部材に対して保持部材を移動させるだけで保持部材を椅子取付部材から取り外すことができるため、保持部材の椅子取付部材への着脱が容易になる。
【図面の簡単な説明】
【００１７】
【図１】パイプ椅子の背もたれに本考案の第一実施形態に係るホルダーを取り付けて丸形ペットボトルを保持させた状態を示しており、（ａ）は斜め後方から見た斜視図、（ｂ）は斜め前方から見た斜視図である。
【図２】第一実施形態に係るホルダーを示した斜視図である。
【図３】第一実施形態に係るホルダーに備わった椅子取付部材を示した斜視図である。
【図４】椅子取付部材と保持部材との組付け状態を示した斜視図である。
【図５】第一実施形態に係るホルダーに丸形ペットボトルを保持させた状態を示した斜視図である。
【図６】第一実施形態に係るホルダーに角形ペットボトルを保持させた状態を示した斜視図である。
【図７】第一実施形態に係るホルダーに大形の丸形ペットボトルを保持させた状態を示した斜視図である。
【図８】第一実施形態に係るホルダーに大形の角形ペットボトルを保持させた状態を示した斜視図である。
【図９】第二実施形態に係るホルダーを示した斜視図である。
【図１０】第二実施形態に係るホルダーに横長の紙メディアを保持させた状態を示した斜視図である。
【図１１】第三実施形態に係るホルダーの要部を示しており、（ａ）は斜め後方から見た斜視図、（ｂ）は斜め前方から見た斜視図である。
【図１２】第三実施形態に係るホルダーに大形の丸形ペットボトルを保持させた状態を示しており、（ａ）は斜め前方から見た斜視図、（ｂ）は側面図である。
【図１３】第四実施形態に係るホルダーに縦長の紙メディアを保持させた状態を示しており、（ａ）は斜め前方から見た斜視図、（ｂ）は側面図である。
【考案を実施するための形態】
【００１８】
（第一実施形態）
以下、本考案の第一実施形態を図面を用いて説明する。図１（ａ），（ｂ）は、折り畳み式のパイプ椅子１０の上部後面に本実施形態に係るホルダー２０を取り付けて、そのホルダー２０に飲料水が収容された丸形３５０ｃｃのペットボトル２９を保持させた状態を示している。パイプ椅子１０は、主フレーム１１と、クッション１２と、副フレーム１３と、シート１４とで構成されている。主フレーム１１は、鉄パイプからなっており、縦長の四角枠状部１１ａの両側部の下部に補強部１１ｂを掛け渡した形状をしている。そして、四角枠状部１１ａの上部１１ｃの内側にはクッション１２が取り付けられており、この上部１１ｃとクッション１２とで背もたれ１５が構成されている。また、主フレーム１１の下部はパイプ椅子１０の前脚を構成している。
【００１９】
副フレーム１３は、鉄パイプを上方が開放された略コ字状に形成して、その両側部の中央に補強部１３ａを掛け渡した構成をしており、上端部がそれぞれ主フレーム１１の両側部の中央部分に支軸１３ｂによって回転可能に連結されている。シート１４は、鉄パイプからなる略正方形の枠状部１４ａの内側に板部材とクッション材とからなる座面部１４ｂを組み付けて構成されている。そして、シート１４は、両側部の後部側部分が支軸１３ｃによって副フレーム１３の両側上部に回転可能に連結され、両側部の中央部分がリンク機構１６によって主フレーム１１の両側における支軸１３ｂが取り付けられた部分よりも下方に連結されている。このパイプ椅子１０は、シート１４を支軸１３ｃを中心として回転することにより、図１（ａ），（ｂ）に示した使用状態に広げたり、平面状に畳んだりすることができる。
【００２０】
ホルダー２０は、図２に示したように、椅子取付部材２１と容器保持部材２５とで構成されており、金属または樹脂の板からなっている。椅子取付部材２１は、図３に示したように、フック部２２と連結部２３とを一体に形成して構成されている。フック部２２は、上面部２２ａと、上面部２２ａの前端から下方に延びる係合片２２ｂとからなっており、上面部２２ａの前後方向の長さと係合片２２ｂの上下方向の長さとは、それぞれパイプ椅子１０の四角枠状部１１ａを構成するパイプの直径よりもやや長くなっている。このフック部２２で、本考案に係る取付部が構成される。
【００２１】
連結部２３は、上面部２２ａの後端から下方に延びる縦長の平面板状に形成されており、その下部に、左右に間隔を保って前後に貫通する横長の一対の孔２３ａ，２３ｂが形成されている。この孔２３ａ，２３ｂで本考案に係る被係合部が構成される。また、連結部２３の後面における孔２３ａ，２３ｂよりも上方に位置する平面部２３ｃには、広告シール２４が貼り付けられている。この椅子取付部材２１の左右の幅は後述する丸形５００ｃｃのペットボトル２９ｂ（図７参照）の直径よりも少し長くなっている。
【００２２】
容器保持部材２５は、側面部２６と、上部支持部２７と、下部支持部２８と、一対の突片２８ａ，２８ｂとで構成されている。側面部２６は、上部の左右方向の幅が、椅子取付部材２１の左右方向の幅と同じで、下部の左右方向の幅がそれよりも短かくなったＴ字形に形成されている。上部支持部２７は、側面部２６の上部両側の下縁部から後方のやや斜め上方に延びる平面視がコ字形の枠で構成されており、内部に形成された穴部２７ａは、一辺の長さがペットボトル２９ｂの直径よりも僅かに長い略正方形になっている。下部支持部２８は、側面部２６の下縁部から後方に延びる平面視が略正方形の平面板で構成されている。
【００２３】
突片２８ａ，２８ｂは、側面部２６の上縁部から左右に孔２３ａ，２３ｂと同じ間隔を保って前方の斜め下方に延びる略正方形の板状突起で構成されている。各突片２８ａ，２８ｂの左右の幅は、各孔２３ａ，２３ｂの左右の幅よりも僅かに短くなっており、図４に示したように、突片２８ａ，２８ｂを後方から孔２３ａ，２３ｂに挿し込むことにより、容器保持部材２５を椅子取付部材２１に組み付けることができる。そして、ペットボトル２９を上方から上部支持部２７の穴部２７ａに通し、ペットボトル２９の底部を下部支持部２８の上面に位置させることにより、図５に示したように、ペットボトル２９をホルダー２０に保持させることができる。
【００２４】
また、容器保持部材２５を背もたれ１５の後面側に位置させるようにしてホルダー２０を背もたれ１５の上方から下降させて、フック部２２と連結部２３との間に背もたれ１５の上端部を挿し込むことによりホルダー２０を背もたれ１５に取り付けることができ、そのホルダー２０にペットボトル２９を保持させることにより、図１（ａ），（ｂ）に示した状態になる。また、ホルダー２０には、図６に示した角形３５０ｃｃのペットボトル２９ａ、図７に示した丸形５００ｃｃのペットボトル２９ｂ、図８に示した角形５００ｃｃのペットボトル２９ｃを保持させることもできる。
【００２５】
このように、本実施形態に係るホルダー２０は、パイプ椅子１０の背もたれ１５に着脱可能な椅子取付部材２１と、椅子取付部材２１に着脱可能な容器保持部材２５とで構成されている。このため、パイプ椅子１０が、コンサート会場に配置された複数のものである場合には、着座者は、ペットボトル２９等をホルダー２０に保持させて演奏を聴くことができる。この場合、飲料水を飲むときだけ、手でペットボトル２９等を持つようになるため、拍手をする際に、ペットボトル２９等が邪魔になることはない。また、使用後には、椅子取付部材２１と容器保持部材２５とを分離して、それぞれ同じもの同士を重ねて保管することができるため、嵩張ることを防止して効率よく保管することができる。
【００２６】
さらに、容器保持部材２５には、ペットボトル２９等の底部を支える下部支持部２８と、ペットボトル２９等の胴部を支える上部支持部２７とが備わっているため、ペットボトル２９等を傾倒させることなく起立状態に保持することができる。また、ホルダー２０の背もたれ１５に対する着脱は、ホルダー２０を背もたれ１５に対して上下に移動させるだけで済むため極めて簡単である。さらに、容器保持部材２５の椅子取付部材２１への着脱も、突片２８ａ，２８ｂを、孔２３ａ，２３ｂに挿し込んだり、孔２３ａ，２３ｂから引き抜いたりするだけで済むため極めて簡単である。また、椅子取付部材２１の平面部２３ｃには、広告シール２４が貼り付けられているため、着座者は、ペットボトル２９等を手で持ったりホルダー２０に保持させたりするたびに、広告シール２４が目に入るようになる。このため広告効果が大になる。
【００２７】
（第二実施形態）
図９は、本考案の第二実施形態に係るホルダー２０ａを示している。このホルダー２０ａは、前述した椅子取付部材２１に、シート保持部材３５を組み付けて構成されている。シート保持部材３５は、左右の幅が椅子取付部材２１の左右の幅よりも少し長い縦長の金属板の下部側の略１／３を後方と上方とに順次折り曲げた形状をしている。このように折り曲げることによって、シート保持部材３５は、支持面部３６ａと、支持面部３６ａの下端から後方に延びる下面部３６ｂと、下面部３６ｂの後端から支持面部３６ａに対向して上方に延びるシート押さえ部３７とが形成されており、支持面部３６ａの上端には一対の突片３８ａ，３８ｂが形成されている。
【００２８】
支持面部３６ａは、上下の長さが左右の幅よりも少し長くなった四角板状に形成されており、下面部３６ｂは、前後の幅が短い平面状に形成されている。下面部３６ｂの前後の幅は、任意に設定できるが、２０〜３０枚の用紙の厚み程度に設定することが好ましい。シート押さえ部３７は、下面部３６ｂの後端部から、支持面部３６ａの上下方向の中央部分に向かって延びており、その上部に上下の長さが短い折り返し部３７ａが形成されている。すなわち、シート押さえ部３７は、下方から上方にいくほど支持面部３６ａに接近するようにして支持面部３６ａに対向しており、折り返し部３７ａは、下方から上方にいくほど支持面部３６ａから離れるように形成されている。突片３８ａ，３８ｂは、突片２８ａ，２８ｂと同様に形成されて、椅子取付部材２１の孔２３ａ，２３ｂに係合可能になっている。
【００２９】
このように構成されたホルダー２０ａは、ホルダー２０と同様にして、パイプ椅子１０の背もたれ１５に取り付けられ、図１０に示したように、例えば情報が印刷された紙メディア３９を保持することができる。この紙メディア３９は、Ａ４サイズの複数の紙で構成されており、長手方向を横向きにして、下端部が下面部３６ｂに支持された状態で、支持面部３６ａとシート押さえ部３７とに挟まれている。紙メディア３９は、支持面部３６ａの後面に沿わすようにして下降させることにより、折り返し部３７ａを支持面部３６ａから離すようにして支持面部３６ａとシート押さえ部３７との間に入っていき、下端部が下面部３６ｂに当接したときには、シート押さえ部３７の弾性によって、支持面部３６ａとシート押さえ部３７とに挟持される。
【００３０】
本実施形態に係るホルダー２０ａによると、パイプ椅子１０が、講習会場に配置された複数のものである場合には、着座者は、ノートに筆記するときなどに、紙メディア３９が邪魔になったりすることを防止できる。このホルダー２０ａのそれ以外の作用効果は、前述したホルダー２０の作用効果と同様である。なお、椅子取付部材２１と、容器保持部材２５と、シート保持部材３５とを一組として準備しておき、用途に応じて容器保持部材２５と、シート保持部材３５とを取り替えて使用することもできる。
【００３１】
（第三実施形態）
図１１（ａ），（ｂ）は、本考案の第三実施形態に係るホルダー４０の要部を示している。このホルダー４０は、椅子取付部材４１と容器保持部材４５とで構成されており、前述したホルダー２０と略同じ大きさに形成されている。そして、椅子取付部材４１の連結部４３には、左右に配置された一対の孔４３ａ，４３ｂと、孔４３ａ，４３ｂの中央上方に位置して、孔４３ａ，４３ｂとで三角形を描くように形成された孔４３ｃとが備わっている。孔４３ａ，４３ｂは、前述した孔２３ａ，２３ｂと同形同大でかつ同じ間隔で形成されており、連結部４３の下端部と孔４３ａ，４３ｂとの間の長さは、連結部２３の下端部と孔２３ａ，２３ｂとの間の長さよりも少し短くなっている。また、孔４３ｃは、孔４３ａ，４３ｂよりも少し小さな横長の貫通孔で構成されている。
【００３２】
容器保持部材４５の側面部４６は、側面部２６と同様、Ｔ字形に形成されているが、Ｔ字形の上部の横片の上下の長さが、側面部２６のＴ字形の横片の上下の長さよりも少し長くなっている。そして、側面部４６の上部に、左右に配置された一対の突片４８ａ，４８ｂと、突片４８ａ，４８ｂの中央上方に位置して、突片４８ａ，４８ｂとで三角形を描くように形成された突片４８ｃとが形成されている。突片４８ａ，４８ｂは、側面部４６の上下方向の略中央に、略正方形の下縁部以外の部分にコ字状の切込みを設け、その切込みが設けられた部分を前方に折り曲げた形状に形成されている。また、突片４８ｃは、側面部４６の上縁部の中央から前方に延びる突起で構成されており、突片４８ａ，４８ｂよりも少し小さくなっている。
【００３３】
このホルダー４０のそれ以外の部分の構成は、前述したホルダー２０と同一である。したがって、同一部分に同一符号を記して、説明は省略する。このホルダー４０では、突片４８ａ，４８ｂ，４８ｃを後方から孔４３ａ，４３ｂ，４３ｃに挿し込むことにより、容器保持部材４５を椅子取付部材４１に組み付けることができる。そして、図１２（ａ），（ｂ）に示したように、ホルダー４０にペットボトル２９ｂ等を保持させることができる。このホルダー４０によると、容器保持部材４５の椅子取付部材４１への組み付けが、ともに３つの孔４３ａ，４３ｂ，４３ｃと突片４８ａ，４８ｂ，４８ｃとの係合によって行われるためより確実なものになる。このホルダー４０のそれ以外の作用効果は、前述したホルダー２０と同様である。
【００３４】
（第四実施形態）
図１３（ａ），（ｂ）は、本考案の第四実施形態に係るホルダー４０ａに紙メディア３９ａを保持させた状態を示している。このホルダー４０ａは、前述した椅子取付部材４１に、シート保持部材５５を組み付けて構成されている。シート保持部材５５では、支持面部５６ａの上下方向の長さが、前述したシート保持部材３５の支持面部３６ａの上下方向の長さよりも長くなっている。そして、支持面部５６ａの上部に、容器保持部材４５の突片４８ａ，４８ｂ，４８ｃと同形同大かつ同じ配置で突片５８ａ，５８ｂ，５８ｃが形成されている。このホルダー４０ａのそれ以外の部分の構成は、前述したホルダー２０ａと同一である。したがって、同一部分に同一符号を記して説明は省略する。
【００３５】
このように構成されたホルダー４０ａによると、紙メディア３９ａを長手方向を縦向きにして保持することができる。このホルダー４０ａのそれ以外の作用効果は、前述したホルダー４０の作用効果と同様である。この場合も、椅子取付部材４１と、容器保持部材４５と、シート保持部材５５とを一組として準備しておき、用途に応じて容器保持部材４５と、シート保持部材５５とを取り替えて使用することができる。
【００３６】
また、本考案に係る椅子用ホルダーは、前述した各実施形態に限定するものでなく、適宜、変更して実施することが可能である。例えば、前述した各実施形態では、取付部を椅子取付部材２１，４１の上端に設けたフック部２２で構成しているが、このフック部２２を省略して、連結部２３，４３の上部にねじ挿通穴を形成し、このねじ挿通穴で取付部を構成してもよい。この場合、ねじ等の固着部材を用いて椅子取付部材２１，４１を背もたれの後面に固定しておく。そして、必要に応じて、容器保持部材２５，４５やシート保持部材３５，５５を椅子取付部材２１，４１に組み付ける。これによると、ホルダー２０等のすべての部分が背もたれの後面に位置するため、前の椅子の着座者から影響を受けることがないとともに、ホルダー２０等の椅子への取り付けがより安定したものになる。
【００３７】
また、前述した各実施形態では、椅子を折り畳み式のパイプ椅子１０としているが、本考案に係る椅子はこれに限らず種々の椅子を用いることができ、複数個の椅子が前後に配置されていれば固定式の椅子であってもよい。さらに、保持部材としては、傘、ステッキ、バッグ等を保持するものを用いることもできる。例えば、傘やステッキを保持する保持部材としては、前述した容器保持部材２５，４５から上部支持部２７よりも下側の部分を除去した形状にすることができる。この場合、下部よりも上部が大径になったコップを保持するために用いることもできる。また、バッグを保持する保持部材としては、取っ手やショルダーストラップを引っ掛けることができるフックを備えたものにすることができる。
【００３８】
さらに、前述した各実施形態では、平面部２３ｃに施された広告を広告シール２４で構成しているが、この広告は平面部２３ｃに印刷されたものであってもよい。また、この広告としては、企業の宣伝、プログラム、注意書き等種々の内容にすることができる。さらに、本考案に係る椅子用ホルダーは、前述した構成以外の部分についても、本考案の技術的範囲で、適宜変更することができる。
【符号の説明】
【００３９】
１０…パイプ椅子、１５…背もたれ、２０，２０ａ，４０，４０ａ…ホルダー、２１，４１…椅子取付部材、２２…フック部、２３，４３…連結部、２３ａ，２３ｂ，４３ａ，４３ｂ，４３ｃ…孔、２３ｃ…平面部、２４…広告シール、２５，４５…容器保持部材、２７…上部支持部、２７ａ…穴部、２８…下部支持部、２８ａ，２８ｂ，３８ａ，３８ｂ，４８ａ，４８ｂ，４８ｃ，５８ａ，５８ｂ，５８ｃ…突片、２９，２９ａ，２９ｂ，２９ｃ…ペットボトル、３５，５５…シート保持部材、３６ａ，５６ａ…支持面部、３６ｂ…下面部、３７…シート押さえ部、３９，３９ａ…紙メディア。
0003185541.tif 000003
【手続補正書】
【提出日】平成25年6月25日(2013.6.25)
【手続補正１】
【補正対象書類名】図面
【補正対象項目名】全図
【補正方法】変更
【補正の内容】
【図１】
0003185541.tif 000004
【図２】
0003185541.tif 000005
【図３】
0003185541.tif 000006
【図４】
0003185541.tif 000007
【図５】
0003185541.tif 000008
【図６】
0003185541.tif 000009
【図７】
0003185541.tif 000010
【図８】
0003185541.tif 000011
【図９】
0003185541.tif 000012
【図１０】
0003185541.tif 000013
【図１１】
0003185541.tif 000014
【図１２】
0003185541.tif 000015
【図１３】
0003185541.tif 000016